(57)【要約】【課題】ソーラーウオールが組み込まれていても、意匠的に連続感が得られる建物外壁用連続開口パネルを提供すること。【解決手段】連設パネル部１１又は１２を覆うソーラーウオール１３又は１４の上縁部が前記連設パネル部１１又は１２の上縁部に気密に固定され、且つ前記連設パネル部１１（又は１２）と前記ソーラーウオール１３（又は１４）との間に下方に開放する通気空間１５（又は１６）が形成されていると共に、前記連設パネル部１１又は１２の上縁部に建物内空間１７と前記通気空間１５又は１６とを連通させる通風路１８又は１９が形成されている。【選択図】  図１
2005282925.tif 000002
【特許請求の範囲】
【請求項１】
建物の外側壁に下階から上階まで連続する壁開口が形成され、前記壁開口が壁パネルで
閉成されていると共に、前記壁パネルの下階側に下階窓開口が設けられ、壁パネルの上階
側に前記下階窓開口の上方に位置させた上階窓開口が設けられ、前記下階窓開口及び上階
窓開口に下階窓部材及び上階窓部材が取り付けられ、前記壁パネルの下階窓開口と上階窓
開口との間に連設パネル部が設けられた建物外壁用連続開口パネルであって、
前記連設パネル部を覆うソーラーウオールの上縁部が前記連設パネル部の上縁部に気密
に固定され、且つ前記連設パネル部と前記ソーラーウオールとの間に下方に開放する通気
空間が形成されていると共に、前記連設パネル部の上縁部に建物内空間と前記通気空間と
を連通させる通風路が形成されていることを特徴とする建物外壁用連続開口パネル。
【請求項２】
前記通気空間の下端空気取入口は前記下階窓部材の表面で暖められる空気を取込可能な
大きさに形成されていることを特徴とする請求項１に記載の建物外壁用連続開口パネル。
【請求項３】
前記通風路は、前記通気空間においてソーラーウオールにより暖められた空気を自然対
流により前記建物空間内に導くことが可能に設けられていることを特徴とする請求項１又
は２に記載の建物外壁用連続開口パネル。
【請求項４】
前記通気空間の空気を前記建物内空間に送風する送風ファンが前記通風路内に設けられ
ていることを特徴とする請求項１又は２に記載の建物外壁用連続開口パネル。
【発明の詳細な説明】
【技術分野】
【０００１】
この発明は、建物の下階から上階まで連続する開口に取り付けられる建物外壁用連続開
口パネルに関するものである。
【背景技術】
【０００２】
従来の建物には、外側壁に太陽熱集熱用の外壁パネルであるソーラーウオールを取り付
けて、ソーラーウオールで暖められた空気を建物内空間にダクトや送風ファン等を用いて
送風するようにしたものが知られている。
【０００３】
しかしながら、従来はソーラーウオールが建物の外側壁に後付で取り付けられることが
普通であるため、建物の外側壁に連続感や一体感等の点で意匠的に問題があった。
【０００４】
また、上述したソーラーウオールにダクトや送風ファン等を内蔵させてユニット化した
ものも考えられている（例えば、特許文献１参照）。
【特許文献１】特開２０００−２４１０３１号公報
【発明の開示】
【発明が解決しようとする課題】
【０００５】
しかしながら、従来のソーラーウオールは、ダクトや送風ファン等を内蔵して複雑にな
っていると共に、外側壁から突出するように取り付けられていたため、意匠的な審美感に
欠けるものであった。
【０００６】
そこで、この発明は、ソーラーウオールが組み込まれていても、意匠的に連続感が得ら
れる建物外壁用連続開口パネルを提供することを目的とするものである。
【課題を解決するための手段】
【０００７】
この目的を達成するため、請求項１の発明は、建物の外側壁に下階から上階まで連続す
る壁開口が形成され、前記壁開口が壁パネルで閉成されていると共に、前記壁パネルの下
階側に下階窓開口が設けられ、壁パネルの上階側に前記下階窓開口の上方に位置させた上
階窓開口が設けられ、前記下階窓開口及び上階窓開口に下階窓部材及び上階窓部材が取り
付けられ、前記壁パネルの下階窓開口と上階窓開口との間に連設パネル部が設けられた建
物外壁用連続開口パネルであって、前記連設パネル部を覆うソーラーウオールの上縁部が
前記連設パネル部の上縁部に気密に固定され、且つ前記連設パネル部と前記ソーラーウオ
ールとの間に下方に開放する通気空間が形成されていると共に、前記連設パネル部の上縁
部に建物内空間と前記通気空間とを連通させる通風路が形成されていることを特徴とする
。
【０００８】
また、請求項２の発明は、前記通気空間の下端空気取入口は前記下階窓部材の表面で暖
められる空気を取込可能な大きさに形成されていることを特徴とする。
【０００９】
更に、請求項３の発明は、前記通風路は、前記通気空間においてソーラーウオールによ
り暖められた空気を自然対流により前記建物空間内に導くことが可能に設けられているこ
とを特徴とする。
【００１０】
また、請求項４の発明は、前記通気空間の空気を前記建物内空間に送風する送風ファン
が前記通風路内に設けられていることを特徴とする。
【発明の効果】
【００１１】
そして、請求項１の発明によれば、前記連設パネル部を覆うソーラーウオールの上縁部
が前記連設パネル部の上縁部に気密に固定され、且つ前記連設パネル部と前記ソーラーウ
オールとの間に下方に開放する通気空間が形成されていると共に、前記連設パネル部の上
縁部に建物内空間と前記通気空間とを連通させる通風路が形成されている構成としたので
、ソーラーウオールが組み込まれていても、意匠的に連続感が得られる。しかも、ソーラ
ーウオールで集熱した暖気を通風路を通して上階の下部に供給することができる。
【００１２】
また、請求項２の発明によれば、前記通気空間の下端空気取入口は前記下階窓部材の表
面で暖められる空気を取込可能な大きさに形成されているので、下階窓部材の表面で暖め
られた空気（暖気）が更に通気空間内においてソーラーウオールにより暖められる。この
結果、建物内空間に供給する空気を高効率で暖めることができる。
【００１３】
更に、請求項３の発明によれば、前記通風路は前記通気空間においてソーラーウオール
により暖められた空気を自然対流により前記建物空間内に導くことが可能に設けられてい
るので、簡単な構成で暖められた空気を建物内空間に供給することができる。
【００１４】
また、請求項４の発明によれば、前記通気空間の空気を前記建物内空間に送風する送風
ファンが前記通風路内に設けられている構成としたので、ダクト等の別部品を設けること
なく、暖められた空気を建物内空間に送風ファンで供給することができる。
【発明を実施するための最良の形態】
【００１５】
以下、この発明の実施の形態を図面に基づいて説明する。
[構成]
図１（ａ）において、１は住宅等の建物、２は建物１の外側壁、３は外側壁２に設けら
れた建物開口である。この建物開口３は、一階，２階及び屋根裏部屋に跨って形成されて
いる。尚、１階は２階に対して下階、２階は１階に対して上階であり且つ屋根裏部屋（図
示せず）に対して下階、屋根裏部屋は２階に対して上階である。
【００１６】
そして、建物開口３は、ユニット化された壁パネル４で閉成されている。この壁パネル
４は、図１（ａ），図１（ｂ）に示したように、１階に対応する１階窓開口５と、２階に
対応する２階窓開口６と、屋根裏部屋に対応する屋根裏窓開口７を有する。尚、１階窓開
口５は２階窓開口に対して下階窓開口、２階窓開口６は１階窓開口に対して上階窓開口で
あり且つ屋根裏開口７に対して下階窓開口、屋根裏窓開口７は２階窓開口６に対して上階
窓開口である。
【００１７】
また、１階窓開口５，２階窓開口６，屋根裏窓開口７には１階窓ガラス８、２階窓ガラ
ス９及び屋根裏窓ガラス１０がそれぞれ取り付けられている。尚、１階窓ガラス８は２階
窓ガラス９に対して下階窓部材、２階窓ガラス９は１階窓ガラス８に対して上階窓部材で
あり且つ屋根裏窓ガラス１０に対して下階窓部材、屋根裏窓ガラス１０は２階窓ガラス９
に対して上階窓部材である。
【００１８】
更に、壁パネル４には、窓開口５，６間及び窓開口６，７間には連設パネル部１１，１
２が設けられている。
【００１９】
この連設パネル部１１，１２は図１（ｂ）に示したようにソーラーウオール１３，１４
でそれぞれ覆われている。このソーラーウオール１３，１４は、連設パネル部１１，１２
とそれぞれ間隔を置いて配設されていると共に、上縁部が連設パネル部１１，１２の上縁
部に気密に取り付けられている。これにより、連設パネル部１１とソーラーウオール１３
との間に通気空間１５が形成され、連設パネル部１２とソーラーウオール１４との間に通
気空間１６が形成されている。この通気空間１５，１６の下端の下端空気取入口１５ａ，
１６ａは、日射により加熱される窓ガラス８，９を介して加熱されて上昇する空気を取込
可能な大きさに形成されている。
【００２０】
しかも、連設パネル部１１，１２の上部には、通気空間１５，１６内の空気を建物内空
間１７に導く通風路１８，１９がそれぞれ形成されている。
【００２１】
次に、この様な構成の建物外壁用連続開口パネルの作用を説明する。
[作用]
太陽２０からの日射により、ソーラーウオール１３，１４を介して通気空間１５，１６
内の空気が暖められて、この暖められた空気が通風路１８，１９を介して建物内空間１７
内に自然対流により流入する。
【００２２】
また、窓ガラス８，９が日射により加熱されると、窓ガラス８，９に接する空気が加熱
されて暖気となり矢印２１，２２で示したように上昇する。この矢印２１，２２で示した
上昇空気（暖気）は、下端空気取入口１５ａ，１６ａを介して通気空間１５，１６にそれ
ぞれ取り込まれて、ソーラーウオール１３，１４により更に加熱された後に、通風路１８
，１９を介して建物内空間１７内に自然対流により流入する。従って、建物内空間１７に
供給する空気を高効率で暖めることができる。
【００２３】
更に、夏季の夜間時には、特に窓（窓ガラス８，９）を開けなくても、通気空間１５と
通風路１８及び通気空間１６と通風路１９を介して建物外の冷気を建物内空間１７内に導
くことができるので、防犯性に優れていると共に、冷気を降雨時でも建物内空間１７内に
給気できる。
【００２４】
尚、夏季夜間は、ソーラーウオール１３，１４が放射冷却されるので、外気を直接に建
物内空間１７内に給気するよりも、ソーラーウオール１３，１４の内側の通気空間１５，
１６を通すことで、外気よりも低い温度（約、外気温度−０．５°Ｃ）の空気を建物内空
間１７内に給気することができる。
＜具体的構成＞
図２（ａ）は、図１の屋根裏窓開口７がない場合の壁パネル４を具体的に示したもので
ある。
【００２５】
この壁パネル４は、図２（ｂ）に示したように、フレーム４ａと、フレーム４ａに固定
されたパネル本体４ｂと、パネル本体４ｂの上下部に形成された開口４ｃ，４ｄと、開口
４ｃ，４ｄに取り付けられた窓サッシュ４ｅ，４ｆを有する。この窓サッシュ４ｅ，４ｆ
に上述した窓開口５，６がそれぞれ形成されている。
【００２６】
また、壁パネル４の上下端部及び窓サッシュ４ｅ，４ｆ間の連設パネル部１１には化粧
用波板が２３，２４，２５がネジ２３ａ，２４ａ，２５ａにより固定されている。そして
、連設パネル部１１にソーラーウオール１３が取り付けられている。尚、２６はパネル本
体４ａの左右両側部に取り付けられたモールである。
【００２７】
そして、ソーラーウオール１３と連設パネル部１１との間には通気空間１５が形成され
、連設パネル部１１の上端部には通気空間１５の空気を建物内空間１７内に導く通風路１
８が形成されている。
【００２８】
図３は、この様な構成の建物外壁用連続開口パネルの実験例を示したものである。尚、
図３において、３０は冬季の一日の経時変化に伴う外気温度変化曲線、３１は一日の経時
変化に伴う通気空間（パイプ室内）１５内のウオール内温度変化曲線、３２は外気温度変
化曲線３０とウオール内温度変化曲線３１との温度差曲線、３３は自然対流による通風路
１８内の風速である。
【００２９】
この図３から分かるように、午後１時及びその前後が一日のうち最も日が高くなって、
外気温度が最も高くなることが分かる。そして、この午後１時及びその前後では、外気温
度が略１０°Ｃであっても、通気空間１５内の温度が略６０°Ｃとなり、通気空間１５内
の空気が外気温度に対して略５０°も上昇させられていることも分かる。しかも、このと
きに通風路１８を流れる空気の流速は略０．３０ｍ／Ｓであった。
【００３０】
以上説明した実施例では、通気空間１５，１６内の暖められた空気を自然対流により通
風路１８，１９から建物内空間１７内に流入させるようにしたが、必ずしもこれに限定さ
れるものではない。
【００３１】
例えば、通風路１８，１９内に送風ファン（図示せず）を組み込むことで、ダクト等を
設けずに通気空間１５，１６内の暖められた空気を送風ファンにより建物内空間１７内に
給気できる。従って、構造が複雑になることはない。
【００３２】
以上説明したように、この発明の実施の形態の建物外壁用連続開口パネルには、建物１
の外側壁２に下階から上階まで連続する壁開口３が形成され、前記壁開口３が壁パネル４
で閉成されていると共に、前記壁パネル４の下階側に下階窓開口（１階窓開口５）が設け
られ、壁パネル４の上階側に前記下階窓開口（１階窓開口５）の上方に位置させた上階窓
開口（２階窓開口６）が設けられ、前記下階窓開口（１階窓開口５）及び上階窓開口（２
階窓開口６）に下階窓部材（１階窓ガラス８）及び上階窓部材（２階窓ガラス９）が取り
付けられ、前記壁パネル４の下階窓開口（１階窓開口５）と上階窓開口（２階窓開口６）
との間に連設パネル部１１が設けられている。しかも、前記連設パネル部１１を覆うソー
ラーウオール１３の上縁部が前記連設パネル部１１の上縁部に気密に固定され、且つ前記
連設パネル部１１と前記ソーラーウオール１３との間に下方に開放する通気空間１５が形
成されていると共に、前記連設パネル部１１の上縁部に建物内空間１７と前記通気空間１
５とを連通させる通風路１８が形成されている。
【００３３】
或いは、建物外壁用連続開口パネルには、建物１の外側壁２に下階から上階まで連続す
る壁開口３が形成され、前記壁開口３が壁パネル４で閉成されていると共に、前記壁パネ
ル４の下階側に下階窓開口（２階窓開口６）が設けられ、壁パネル４の上階側に前記下階
窓開口（２階窓開口６）の上方に位置させた上階窓開口（屋根裏窓開口７）が設けられ、
前記下階窓開口（２階窓開口６）及び上階窓開口（屋根裏窓開口７）に下階窓部材（２階
窓ガラス９）及び上階窓部材（屋根裏窓ガラス１０）が取り付けられ、前記壁パネル４の
下階窓開口（２階窓開口６）と上階窓開口（屋根裏窓開口７）との間に連設パネル部１２
が設けられている。しかも、前記連設パネル部１２を覆うソーラーウオール１４の上縁部
が前記連設パネル部１２の上縁部に気密に固定され、且つ前記連設パネル部１２と前記ソ
ーラーウオール１４との間に下方に開放する通気空間１６が形成されていると共に、前記
連設パネル部１２の上縁部に建物内空間１７と前記通気空間１６とを連通させる通風路１
９が形成されている。
【００３４】
そして、この様な構成によれば、前記連設パネル部１１，１２を覆うソーラーウオール
１３，１４の上縁部が前記連設パネル部１１，１２の上縁部に気密に固定され、且つ前記
連設パネル部１１（又は１２）と前記ソーラーウオール１３（又は１４）との間に下方に
開放する通気空間１５（又は１６）が形成されていると共に、前記連設パネル部１１（又
は１２）の上縁部に建物内空間１７と前記通気空間１５（又は１６）とを連通させる通風
路１８（又は１９）が形成されている構成としたので、ソーラーウオール１３，１４が組
み込まれていても、意匠的に連続感が得られる。しかも、ソーラーウオールで集熱した暖
気を通風路を通して上階の下部に供給することができる。
【００３５】
また、この発明の実施の形態の建物外壁用連続開口パネルの前記通気空間１５，１６の
下端空気取入口１５ａ，１６ａは前記下階窓部材（１階窓ガラス８又は２階窓ガラス９）
の表面で暖められる空気を取込可能な大きさに形成されている。
【００３６】
この構成によれば、前記通気空間１５，１６の下端空気取入口１５ａ，１６ａは前記下
階窓部材（１階窓ガラス８又は２階窓ガラス９）の表面で暖められる空気を取込可能な大
きさに形成されているので、下階窓部材（１階窓ガラス８又は２階窓ガラス９）の表面で
暖められた空気（暖気）が更に通気空間１５，１６内においてソーラーウオール１３，１
４により暖められる。この結果、建物内空間１７に供給する空気を高効率で暖めることが
できる。
【００３７】
更に、この発明の実施の形態の建物外壁用連続開口パネルの前記通風路１８，１９は、
前記通気空間１５，１６においてソーラーウオール１３，１４により暖められた空気を自
然対流により前記建物空間１７内に導くことが可能に設けられている。
【００３８】
この構成によれば、前記通風路１８，１９は前記通気空間１５，１６においてソーラー
ウオール１３，１４により暖められた空気を自然対流により前記建物空間１７内に導くこ
とが可能に設けられているので、簡単な構成で暖められた空気を建物内空間１７に供給す
ることができる。
【００３９】
また、この発明の実施の形態の建物外壁用連続開口パネルの前記通気空間１５，１６の
空気を前記建物内空間１７に送風する送風ファンが前記通風路１８，１９内に設けること
ができる。
【００４０】
この構成によれば、前記通気空間１５，１６の空気を前記建物内空間１７に送風する送
風ファンが前記通風路内１８，１９に設けられている構成としたので、ダクト等の別部品
を設けることなく、暖められた空気を建物内空間１７内に送風ファンで供給することがで
きる。
【図面の簡単な説明】
【００４１】
【図１】（ａ）はこの発明の壁パネルを有する建物の概略斜視図、（ｂ）は（ａ）の壁パネルの概略断面図である。
【図２】この発明に係る壁パネルのより具体的な構造を示す断面図である。
【図３】この発明に係る壁パネルのソーラーウオールによる作用を説明する温度変化曲線図である。
【符号の説明】
【００４２】
１…建物
２…外側壁
３…壁開口
４…壁パネル
５…１階窓開口（下階窓開口）
６…２階窓開口（上階窓開口又は下階窓開口）
７…屋根裏窓開口（上階窓開口）
８…１階窓ガラス（下階窓部材）
９…２階窓ガラス（上階窓部材又は下階窓部材）
１０…屋根裏窓ガラス（上階窓部材）
１１，１２…連設パネル部
１３，１４…ソーラーウオール
１５，１６…通気空間
１５ａ，１６ａ…下端空気取入口
１７…建物内空間
１８，１９…通風路
【図１】
2005282925.tif 000003
【図２】
2005282925.tif 000004
【図３】
2005282925.tif 000005